【事件の表示】
　特許第２８９６３６９号に関する訂正審判事件について、次のとおり審決する。
【結　論】
　本件審判の請求は、成り立たない。
【理　由】
１．手続の経緯  
　本件特許第２８９６３６９号の出願からの主立った経緯は次のとおりである。  
　平成１０年　６月１８日　特許出願（特願平１０−１８８１４２号）  
　平成１１年　３月　５日　特許の設定登録（請求項１乃至３） 
　平成１１年１１月２５日　特許異議申立（申立人：粟井英一郎）  
　平成１１年１１月３０日　特許異議申立（申立人：荒井俊之）  
　　　　　　　　　　　　　平成１１年異議第７４４０１号  
　平成１２年　７月　７日　特許異議意見書，訂正請求書提出  
　平成１２年　９月１２日　特許異議の決定（特許維持）  
　  
　平成２１年　５月１４日　無効審判請求(無効２００９−８０００９３号)
　平成２１年　８月２７日　訂正請求書提出  
　平成２１年１２月１５日　一次審決（訂正を認める。無効としない。） 
　平成２２年　１月２３日　審決取消訴訟の提起（平成２２年（行ケ）１０　　　　　　　　　　　　　０２４号）
　平成２２年１０月２８日　判決言渡（平成２１年１２月１５日にした審決　　　　　　　　　　　　　を取り消す）　
　平成２３年　１月１７日　二次審決（訂正を認める。無効とする。）  
　平成２３年　２月２４日　審決取消訴訟の提起（平成２３年（行ケ）１０　　　　　　　　　　　　　０６６号）
　
　平成２３年　３月２４日　本件訂正審判の請求（訂正２０１１−３９００　　　　　　　　　　　　　３０号）
　平成２３年　４月２６日　通知書（関連無効審判請求人（日本電動式遊技　　　　　　　　　　　　　機特許株式会社）あて）
　平成２３年　５月２５日　審判上申書（関連無効審判請求人提出）
　平成２３年　６月１３日　訂正拒絶理由通知
　平成２３年　６月３０日　意見書　 
 　 
２．訂正事項  
　本件は，平成２３年３月２４日付けで訂正審判請求書及びこれに添付した訂正明細書（以下，「本件訂正明細書」という。）が提出されたものであって，その内容は，平成１２年９月１２日付けの特許異議の決定で特許維持された本件特許の明細書（平成１２年７月７日付けの訂正明細書，以下，「本件基準明細書」という。）を，本件訂正明細書のとおりに訂正しようとするものであって，次の訂正事項ａ〜ｇを含むものである。 
・訂正事項ａ 
　本件基準明細書の特許請求の範囲の請求項１における「表示制御基板とを有し，」の後に，「前記遊技制御基板には，制御手段が搭載され前記遊技制御基板からの信号が入力される，前記表示制御基板を含む複数の制御基板が接続され，」との記載を加入する。 
・訂正事項ｂ  
　本件基準明細書の特許請求の範囲の請求項１における「前記表示制御基板内に，遊技制御基板と表示制御基板との間の信号について前記遊技制御基板からの信号の入力のみを可能とする信号伝達方向規制手段を実装し，」を，
　「該複数の制御基板全ての各制御基板内に，前記遊技制御基板と各制御基板との間の全ての信号について，信号の伝達方向を前記遊技制御基板から前記各制御基板への一方向に規制するために，前記遊技制御基板からの信号の入力のみを可能とし，前記遊技制御基板への信号の出力を不能とする信号伝達方向規制手段を実装するとともに，該信号伝達方向規制手段と前記制御手段との間に，前記信号伝達方向規制手段から前記制御手段に向かって信号を伝達する入力ポートを設け，」と訂正する。  
・訂正事項ｃ 
　本件基準明細書の特許請求の範囲の請求項１における「前記遊技制御基板内に，遊技制御基板と表示制御基板との間の信号について前記表示制御基板への信号の出力のみを可能とする信号伝達方向規制手段を実装した」を，  
　「前記遊技制御基板内に，該遊技制御基板と前記各制御基板との間の全ての信号について，信号の伝達方向を前記遊技制御基板から前記各制御基板への一方向に規制するために，前記各制御基板への信号の出力のみを可能とし，前記各制御基板からの信号の入力を不能とする信号伝達方向規制手段を実装するとともに，前記遊技制御手段と当該信号伝達方向規制手段との間に当該遊技制御手段から当該信号伝達方向規制手段に向かって信号を伝達する出力ポートを設けた」と訂正する。  
・訂正事項ｄ 
　本件基準明細書の段落【０００８】の  
「【課題を解決するための手段】  
　本発明による遊技機は，表示状態が変化可能な可変表示部を含み，変動開始の条件の成立に応じて可変表示部に表示される識別情報の変動を開始し，識別情報の表示結果があらかじめ定められた特定の表示態様となった場合に所定の遊技価値が付与可能となる遊技機であって，遊技進行を制御する遊技制御手段が搭載された遊技制御基板と，遊技制御基板からの信号にもとづいて可変表示部の表示制御を行う表示制御手段が搭載された表示制御基板とを有し，表示制御基板内に，遊技制御基板と表示制御基板との間の信号について遊技制御基板からの信号の入力のみを可能とする信号伝達方向規制手段が実装され，遊技制御基板内に，遊技制御基板と表示制御基板との間の信号について表示制御基板への信号の出力のみを可能とする信号伝達方向規制手段が実装されていることを特徴とする。」を，
「【課題を解決するための手段】  
　本発明による遊技機は，表示状態が変化可能な可変表示部を含み，変動開始の条件の成立に応じて可変表示部に表示される識別情報の変動を開始し，識別情報の表示結果があらかじめ定められた特定の表示態様となった場合に所定の遊技価値が付与可能となる遊技機であって，遊技進行を制御する遊技制御手段が搭載された遊技制御基板と，遊技制御基板からの信号にもとづいて可変表示部の表示制御を行う表示制御手段が搭載された表示制御基板とを有し，遊技制御基板には，制御手段が搭載され遊技制御基板からの信号が入力される，表示制御基板を含む複数の制御基板が接続され，該複数の制御基板全ての各制御基板内に，遊技制御基板と各制御基板との間の全ての信号について，信号の伝達方向を遊技制御基板から各制御基板への一方向に規制するために，遊技制御基板からの信号の入力のみを可能とし，遊技制御基板への信号の出力を不能とする信号伝達方向規制手段を実装するとともに，該信号伝達方向規制手段と制御手段との間に，信号伝達方向規制手段から制御手段に向かって信号を伝達する入力ポートを設け，遊技制御基板内に，該遊技制御基板と各制御基板との間の全ての信号について，信号の伝達方向を遊技制御基板から各制御基板への一方向に規制するために，各制御基板への信号の出力のみを可能とし，各制御基板からの信号の入力を不能とする信号伝達方向規制手段を実装するとともに，遊技制御手段と当該信号伝達方向規制手段との間に当該遊技制御手段から当該信号伝達方向規制手段に向かって信号を伝達する出力ポートを設けたことを特徴とする。」と訂正する。  
・訂正事項ｅ  
　本件基準明細書の段落【００９１】の 
「以上のように，本発明によれば，遊技盤の中央付近に設置される画像表示部９の制御を行う遊技制御基板，ならびに，遊技盤が組み付けられた枠側の各機構部の制御を行うランプ制御基板３５，音声制御基板７０，賞球基板３７および発射制御基板９１において，遊技制御を司るメイン基板３１からの信号を受ける部分に，信号の一方向性を確実にする回路素子を設置したので，各基板からメイン基板３１に信号が与えらる可能性がある信号ラインをなくすことができる。その結果，不正に大当りを発生させる行為を防止することができる。」を， 
「以上のように，本発明によれば，遊技盤の中央付近に設置される画像表示部９の制御を行う表示制御基板，ならびに，遊技盤が組み付けられた枠側の各機構部の制御を行うランプ制御基板３５，音声制御基板７０，賞球基板３７および発射制御基板９１において，遊技制御を司るメイン基板３１からの信号を受ける部分に，信号の一方向性を確実にする回路素子を設置したので，各基板からメイン基板３１に信号が与えられる可能性がある信号ラインをなくすことができる。その結果，不正に大当りを発生させる行為を防止することができる。」と訂正する。 
・訂正事項ｆ  
　本件基準明細書の段落【００９４】の  
「【発明の効果】  
　以上のように，本発明によれば，遊技機を，遊技制御基板からの信号の入力のみを可能とする信号伝達方向規制手段が表示制御基板に設けられている構成にしたので，表示制御基板改造による不正行為を効果的に防止して，遊技機に対する不正行為を受けにくくすることができる効果がある。」を，  
「【発明の効果】  
　以上のように，本発明によれば，遊技機を，遊技制御基板と各制御基板との間の全ての信号について，信号の伝達方向を遊技制御基板から各制御基板への一方向に規制するために，遊技制御基板からの信号の入力のみを可能とし，遊技制御基板への信号の出力を不能とする信号伝達方向規制手段が全ての各制御基板に設けられている構成にしたので，全ての各制御基板改造による不正行為を効果的に防止して，遊技機に対する不正行為を受けにくくすることができる効果がある。」と訂正する。  
・訂正事項ｇ  
　本件基準明細書の段落【００９６】の  
「遊技制御基板にも，表示制御基板への信号の出力のみを可能とする信号伝達方向規制手段が搭載されているので，表示制御基板側から遊技制御基板側に信号が入力されてしまうことがさらに確実に防止される。」を，  
「遊技制御基板にも，該遊技制御基板と各制御基板との間の全ての信号について，信号の伝達方向を遊技制御基板から各制御基板への一方向に規制するために，各制御基板への信号の出力のみを可能とし，各制御基板からの信号の入力を不能とする信号伝達方向規制手段が搭載されているので，各制御基板側から遊技制御基板側に信号が入力されてしまうことがさらに確実に防止される。」と訂正する。 
　
３．訂正目的，新規事項の有無の検討  
（１）訂正事項ａについて 
　訂正事項ａは，本件基準明細書の特許請求の範囲の請求項１における「前記遊技制御基板」について「制御手段が搭載され前記遊技制御基板からの信号が入力される，前記表示制御基板を含む複数の制御基板が接続され，」という構成要件を付加して限定するもので，特許請求の範囲の減縮を目的としている。 
　そして，訂正事項ａは，本件基準明細書の段落【００２１】，【００３０】，【００６３】，【００７１】，【００７９】，【００８５】及び図４，７，１６，１８，２０，２１，２３，２４，２５，２６，２８の記載から自明な事項であるから，本件基準明細書に記載した事項の範囲内のものであって，実質上特許請求の範囲を拡張，変更するものでもない。 
　
（２）訂正事項ｂについて  
　訂正事項ｂは，本件基準明細書の特許請求の範囲の請求項１における「前記表示制御基板内に，遊技制御基板と表示制御基板との間の信号について前記遊技制御基板からの信号の入力のみを可能とする信号伝達方向規制手段を実装し，」という概念を「該複数の制御基板全ての各制御基板内に，前記遊技制御基板と各制御基板との間の全ての信号について，信号の伝達方向を前記遊技制御基板から前記各制御基板への一方向に規制するために，前記遊技制御基板からの信号の入力のみを可能とし，前記遊技制御基板への信号の出力を不能とする信号伝達方向規制手段を実装するとともに，該信号伝達方向規制手段と前記制御手段との間に，前記信号伝達方向規制手段から前記制御手段に向かって信号を伝達する入力ポートを設け，」と限定するもので，特許請求の範囲の減縮を目的としている。 
　そして，訂正事項ｂは，本件基準明細書の段落【００３０】，【００６３】，【００６７】，【００７１】，【００７５】，【００７６】，【００７９】，【００８２】，【００８３】，【００８５】，【００８８】，【００８９】，【００９１】及び図７，１６，１８，２０，２１，２３〜２６，２８の記載から自明な事項であるから，本件基準明細書に記載した事項の範囲内のものであって，実質上特許請求の範囲を拡張，変更するものでもない。　
（３）訂正事項ｃについて 
　訂正事項ｃは，本件基準明細書の特許請求の範囲の請求項１における「前記遊技制御基板内に，遊技制御基板と表示制御基板との間の信号について前記表示制御基板への信号の出力のみを可能とする信号伝達方向規制手段を実装した」という概念を「前記遊技制御基板内に，該遊技制御基板と前記各制御基板との間の全ての信号について，信号の伝達方向を前記遊技制御基板から前記各制御基板への一方向に規制するために，前記各制御基板への信号の出力のみを可能とし，前記各制御基板からの信号の入力を不能とする信号伝達方向規制手段を実装するとともに，前記遊技制御手段と当該信号伝達方向規制手段との間に当該遊技制御手段から当該信号伝達方向規制手段に向かって信号を伝達する出力ポートを設けた」と限定するもので，特許請求の範囲の減縮を目的としている。 
　そして，訂正事項ｃは，本件基準明細書の段落【００６０】，【００６９】，【００７７】，【００８４】，【００９０】及び図１６，２０，２３，２５，２８の記載から自明な事項であるから，本件基準明細書に記載した事項の範囲内のものであって，実質上特許請求の範囲を拡張，変更するものでもない。 
 　  
（４）訂正事項ｄ，ｆ，ｇについて  
　訂正事項ｄ，ｆ，ｇは，訂正後の特許請求の範囲と明細書の発明の詳細な説明の記載が整合するように，本件基準明細書の段落【０００８】，【００９４】，【００９６】の記載を訂正するものであって，明りようでない記載の釈明を目的とするものである。  
　
（５）訂正事項ｅについて 
　訂正事項ｅは，本件基準明細書の段落【００９１】の明らかな誤記（「遊技制御基板」及び「与えらる」）を修正するものであり，願書に最初に添付した明細書又は図面に記載した事項の範囲内のものである。
　
　以上のとおりであるから，上記訂正事項ａ〜ｇは，特許請求の範囲の減縮，誤記の訂正，明りようでない記載の釈明を目的としており，かつ，本件基準明細書（誤記の訂正に関しては，願書に最初に添付した明細書）に記載した事項の範囲内のものであって，実質上特許請求の範囲を拡張，変更するものでもない。  
　したがって，本件訂正は，特許法１２６条１項のただし書に適合し，同１２６条３項及び４項の規定に適合する。  
　 
４．独立特許要件についての検討  
　上記のとおり，訂正事項ａ〜ｃは，特許請求の範囲の減縮を目的とするものであるから，訂正後の請求項１に係る発明（以下，「訂正発明１」という。）が特許出願の際独立して特許を受けることができるものであるか（特許法１２６条５項の規定に適合するか）について以下において検討する。 
　また，訂正後の請求項２は減縮された訂正後の請求項１を引用し，訂正後の請求項３は減縮された訂正後の請求項１を引用する訂正後の請求項２を引用している。それ故，請求項２，３については，明示的な訂正事項は存在しないが，実質的には訂正前の請求項２及び３から減縮されているから，訂正後の請求項２，３に係る発明（以下，「訂正発明２」，「訂正発明３」という。）が特許出願の際独立して特許を受けることができるものであるか（特許法１２６条５項の規定に適合するか）について以下において検討する。 
 　  
（１）訂正後の発明の認定  
　訂正発明１は，訂正後の特許請求の範囲の請求項１の記載により特定されるものであり，次のとおりである。  
　「表示状態が変化可能な可変表示部を含み，変動開始の条件の成立に応じて前記可変表示部に表示される識別情報の変動を開始し，識別情報の表示結果があらかじめ定められた特定の表示態様となった場合に所定の遊技価値が付与可能となる遊技機であって， 
　遊技進行を制御する遊技制御手段が搭載された遊技制御基板と， 
　前記遊技制御基板からの信号にもとづいて前記可変表示部の表示制御を行う表示制御手段が搭載された表示制御基板とを有し， 
　前記遊技制御基板には，制御手段が搭載され前記遊技制御基板からの信号が入力される，前記表示制御基板を含む複数の制御基板が接続され， 
　該複数の制御基板全ての各制御基板内に，前記遊技制御基板と各制御基板との間の全ての信号について，信号の伝達方向を前記遊技制御基板から前記各制御基板への一方向に規制するために，前記遊技制御基板からの信号の入力のみを可能とし，前記遊技制御基板への信号の出力を不能とする信号伝達方向規制手段を実装するとともに，該信号伝達方向規制手段と前記制御手段との間に，前記信号伝達方向規制手段から前記制御手段に向かって信号を伝達する入力ポートを設け， 
　前記遊技制御基板内に，該遊技制御基板と前記各制御基板との間の全ての信号について，信号の伝達方向を前記遊技制御基板から前記各制御基板への一方向に規制するために，前記各制御基板への信号の出力のみを可能とし，前記各制御基板からの信号の入力を不能とする信号伝達方向規制手段を実装するとともに，前記遊技制御手段と当該信号伝達方向規制手段との間に当該遊技制御手段から当該信号伝達方向規制手段に向かって信号を伝達する出力ポートを設けた 
　ことを特徴とする遊技機。」  
 　 
　訂正発明２は，訂正後の特許請求の範囲の請求項２の記載により特定されるものであり，次のとおりである。 
　「信号伝達方向規制手段は，汎用のバッファＩＣ回路で構成されている請求項１記載の遊技機。」 
 　 
　訂正発明３は，訂正後の特許請求の範囲の請求項３の記載により特定されるものであり，次のとおりである。 
　「バッファＩＣ回路のイネーブル端子は，常に入出力導通状態に設定されている請求項２記載の遊技機。」  
　
（２）引用文献の記載事項  
（２−１）特開平８−２２４３３９号公報（以下「引用文献１」という。）には，図面とともに以下の記載がある。  
（ア）「本発明は，パチンコ機において配備されたメイン制御部及びサブ制御部において，メイン制御部からサブ制御部に対して送信される制御コマンドデータの伝送を行うパチンコ機におけるデータ伝送装置に関するものである。」（段落【０００１】）  
（イ）「【従来の技術】パチンコ遊技機においては，例えば，図柄表示装置を設け，その表示画面において，複雑な表示動作を行わせたり，遊技態様に応じて数種類の表示画面を切り換え動作を行わせたりすることにより，遊技者の多様な趣向を満たすようにしている。このようなパチンコ遊技機にあっては，パチンコ機のパチンコ遊技全体に関わる制御を行うためのメイン制御部のみでは，パチンコ機に配備された各駆動制御要素を全て制御することがメイン制御部の処理タイミングやメモリの記憶容量に制限があって困難であるため，駆動制御要素毎に専用のサブ制御部が配備されており，メイン制御部から制御信号並びに出力データからなる制御用のコマンドデータをサブ制御部に転送し，前記制御用のコマンドデータに応じてサブ制御部により駆動制御要素を制御駆動するようにしている。」（段落【０００２】）  
（ウ）「メイン制御部から転送される制御用のコマンドデータは，例えば，サブ制御部が図柄表示装置である場合には，パチンコ機における遊技状況を示すステータスデータ及び図柄表示装置に複数設定されている各図柄表示部に表示する図柄の種類並びに表示位置を示す各データ等である。」（段落【０００３】）  
（エ）「【発明が解決しようとする課題】本発明の目的は，メイン制御部側のデータ転送処理における処理タイムにおいて，待ち時間の設定を必要とせず，データ転送を円滑に行うことができ，図柄表示装置の表示動作が特定の遊技状態の発生に遅れることなく起動され，かつデータ転送においてノイズの侵入を排除することが可能なパチンコ機におけるデータ伝送装置を提供することにある。」（段落【０００８】） 
（オ）「一方向データ転送手段により，サブ制御部からメイン制御部へのデータ信号入力が禁止されるため，図柄表示装置を介するサブ制御部からメイン制御部への不正信号の入力が防止され，入賞が成立していないにもかかわらず，入賞状態となるといったことが防止される。（段落【００１１】」  
（カ）「図１は，実施例におけるパチンコ機におけるデータ伝送装置の要部を示すブロック図である。パチンコ機のパチンコ遊技全体に関わる制御を行うためのメイン制御部１は，制御処理実行手段としてのメインＣＰＵ２と，メインＣＰＵ２が実行するためのパチンコ遊技全体に関わる制御プログラムが格納されているＲＯＭ３と，随時読み出しおよび書き込みが可能なＲＡＭ４と，メインＣＰＵ２が周辺機器との間でデータ通信を行うための通信インタフェース５とにより構成されている。なお，メインＣＰＵ２には，メインＣＰＵ２のための電源（図示せず）やメインＣＰＵ２の処理サイクルを規定するクロック回路（図示せず）が接続されている。」（段落【００１２】）
（キ）「図１に示すサブ制御部６は，パチンコ機が備えた図２に示す図柄表示装置７側に配備され，メイン制御部１からの制御信号並びにコマンドデータに応じて図柄表示装置７の各表示駆動手段を表示駆動制御する処理実行手段としてのサブＣＰＵ８と，サブＣＰＵ８が実行するための各表示駆動手段の表示駆動に関する制御プログラム並びにメイン制御部１とのデータ通信に関する制御プログラムが格納されているＲＯＭ９と，随時読み出しおよび書き込みが可能なＲＡＭ１０と，制御信号を出力するための出力ポート１１と，各表示駆動手段の一部を構成する特別図柄表示部１７を表示駆動するためのコモン１出力回路１２乃至コモン４出力回路１５並びにＬＥＤ信号出力回路１６とを備えている。なお，サブＣＰＵ８には，サブＣＰＵ８のための電源（図示せず）やサブＣＰＵ８の処理サイクルを規定するクロック回路（図示せず）が接続されている。」（段落【００１３】）  
（ク）「図１において，サブ制御部６のサブＣＰＵ８は，メイン制御部１の通信インタフェース５及び一方向データ転送手段４０を介してメインＣＰＵ２と通信接続され，メインＣＰＵ２からサブＣＰＵ８へのみ制御信号並びにコマンドデータが転送され，サブＣＰＵ８からメインＣＰＵ２へのデータ信号の入力が禁止されるよう構成されている。なお，一方向データ転送手段４０は，例えば，トランジスタアレイにより構成されている。また，データ伝送ラインは，８本の信号線で構成され，８ビットデータがパラレルに伝送される。」（段落【００１４】） 
（ケ）「特別図柄表示部１７は，縦１４行×横３２列に配列されたドットマトリクスＬＥＤにより構成され，さらに特別図柄表示部１７は，左，中，右特別図柄表示部１７ａ，１７ｂ，１７ｃの３つに区分されている。サブ制御部６におけるサブＣＰＵ８の出力ポート１１には，各コモン１出力回路１２乃至コモン４出力回路１５並びにＬＥＤ信号出力回路１６が接続されると共に，特別図柄表示部１７が各コモン１出力回路１２乃至コモン４出力回路１５並びにＬＥＤ信号出力回路１６に接続され，サブＣＰＵ８からの制御出力により各コモン１出力回路１２乃至コモン４出力回路１５の出力並びにＬＥＤ信号出力回路１６の出力を切り換えることにより，左，中，右特別図柄表示部１７ａ，１７ｂ，１７ｃに図柄を表示駆動するよう構成されている。」（段落【００１５】）  
（コ）「図２は，実施例のパチンコ機に配備された遊技盤１８を一部省略して示す正面図である。遊技盤面の略中央には，特別図柄表示部１７を備えた図柄表示装置７が配設され，図柄表示装置７の下方には，特別図柄表示部１７における図柄の変動を開始させるための始動口１９を有する普通電動役物２０が配設され，普通電動役物２０の左右にはゲート２１，２２がそれぞれ配設され，遊技盤１８面の下部には，ソレノイド（図示を省略）により開閉動作される大入賞口２３を備えた入賞装置ユニット２４が配設されている。」（段落【００１６】）  
（サ）「次に，図２に示す遊技盤１８面におけるパチンコ遊技の概略を説明する。遊技球が始動口１９に入賞すると，図柄表示装置７の特別図柄表示部１７の図柄変動が開始される。なお，始動口１９への遊技球の入賞があると，図３のメイン制御部１は大当たり判定用乱数の値を記憶する。特別図柄表示部１７の変動中における始動口１９への遊技球の入賞は最高４回迄記憶され，その記憶数が特別図柄記憶数表示ＬＥＤ２６によって個数点灯されて表示される。」（段落【００２１】）  
（シ）「メイン制御部１は，各特別図柄表示部１７ａ，１７ｃ，１７ｂの図柄の停止表示を行う際に，大当たり判定用乱数の値が大当たりに関するものであるか否か，リーチのみに関するものであるか否か，外れであるか否かをそれぞれ判別することにより，停止表示する各特別図柄データを区分して記憶しておいた大当たり特別図柄データ，リーチ図柄データ並びに外れ特別図柄データのうちより選択する。なお，特別図柄表示部１７において選択された図柄が表示される。」（段落【００２４】）  
（ス）「特別図柄表示部１７において大当たりが発生すると，遊技者に特に有利となる特別遊技状態が付与され，図２の入賞表示ユニット２４の可動扉３０がソレノイドにより所定時間の間開成動作され，大入賞口２３が開放される。大入賞口２３に遊技球すると，大入賞口２３への入賞球数が大入賞口入賞数表示ＬＥＤ３２によって数字表示される。大入賞口２３への遊技球の入賞は，所定の開放時間の間において一定個数，例えば１０個迄であり，１０個目の入賞を以て可動扉３０が閉成動作され，大入賞口２３が閉成される。」（段落【００２５】）  
（セ）「さらに，サブ制御部からメイン制御部へのデータ信号入力が禁止されるため，何等かの手段により，図柄表示装置を介してサブ制御部からメイン制御部へ不正信号の出力がなされたとしても，サブ制御部からのメイン制御部への不正信号の入力を防止することができ，したがって，入賞が成立していないにもかかわらず，入賞状態となるといったことが防止することができる。」（段落【０１２８】）  
 　 
　これらの記載及び図面からみて，引用文献１には，  
「パチンコ機のパチンコ遊技全体に関わる制御を行うためのメイン制御部１は，制御処理実行手段としてのメインＣＰＵ２を含み，  
　パチンコ機が備えた図柄表示装置７側に配備されるサブ制御部６は，メイン制御部１からの制御信号並びにコマンドデータに応じて図柄表示装置７の各表示駆動手段を表示駆動制御する処理実行手段としてのサブＣＰＵ８を備え，  
　遊技盤面の略中央には，左，中，右特別図柄表示部１７ａ，１７ｂ，１７ｃの３つに区分される特別図柄表示部１７を備えた図柄表示装置７が配設され，図柄表示装置７の下方には，特別図柄表示部１７における図柄の変動を開始させるための始動口１９を有する普通電動役物２０が配設され，遊技球が始動口１９に入賞すると，図柄表示装置７の特別図柄表示部１７の図柄変動が開始され，  
　メイン制御部１は，始動口１９への遊技球の入賞があると，大当たり判定用乱数の値を記憶し，各特別図柄表示部１７ａ，１７ｃ，１７ｂの図柄の停止表示を行う際に，大当たり判定用乱数の値が大当たりに関するものであるか否か，リーチのみに関するものであるか否か，外れであるか否かをそれぞれ判別することにより，停止表示する各特別図柄データを区分して記憶しておいた大当たり特別図柄データ，リーチ図柄データ並びに外れ特別図柄データのうちより選択し，  
　特別図柄表示部１７において選択された図柄が表示され，大当たりが発生すると，遊技者に特に有利となる特別遊技状態が付与されるパチンコ機であって，  
　サブ制御部６のサブＣＰＵ８は，メイン制御部１の通信インタフェース５及び一方向データ転送手段４０を介してメインＣＰＵ２と通信接続され，メインＣＰＵ２からサブＣＰＵ８へのみ制御信号並びにコマンドデータが転送され，サブＣＰＵ８からメインＣＰＵ２へのデータ信号の入力が禁止されるよう構成されているパチンコ機。」の発明（以下，「引用発明」という。）が記載されていると認めることができる。  
　
（２−２）特開平９−１７３５６４号公報（以下，「引用文献２」という。）には，図面とともに以下の記載がある。  
（ソ）「本発明は，たとえば，パチンコ遊技機やコイン遊技機等で代表される弾球遊技機に関し，詳しくは，打玉を遊技領域に打込んで遊技が行なわれる弾球遊技機に関する。」（段落【０００１】）  
（タ）「また，この種の従来の弾球遊技機においては，弾球遊技機の遊技状態を制御する遊技制御手段と，玉を払出す玉払出装置を制御する払出動作制御手段とを有しており，前記入賞玉検出手段の検出出力が前記払出動作制御手段に入力され，払出動作制御手段から前記遊技制御手段に対し入賞玉が検出されたことを表わす入賞玉検出信号が送信され，その信号を受けた遊技制御手段は，その入賞玉に対して払出すべき景品玉の個数を特定する払出個数情報を前記払出動作制御手段に返信するように構成されていた。そしてその払出動作制御手段は，払出個数情報に従った個数だけの景品玉の払出を前記玉払出装置に行なわせる制御を行なう。」（段落【０００３】）  
（チ）「【発明が解決しようとする課題】一方，この種の従来の弾球遊技機においては，前記遊技制御手段が弾球遊技機の遊技状態を制御するものであるために，たとえば賭博性の高い遊技動作が行なわれるように改造するべく前記遊技制御手段が不正改造される不都合があった。特に，前記遊技制御手段は，前記払出動作制御手段から入賞玉検出信号が入力されるため，その信号の入力ポートから不正なデータを入力して遊技制御手段を通常の正常な動作とは異なった動作をするように不正改造するおそれがあった。」（段落【０００４】）  
（ツ）「また，入賞玉が短期間のうちに大量に発生した場合には，前記入賞玉処理手段による入賞玉の処理動作速度を速めて迅速に入賞玉の処理を行ないたいというニーズもあった。」（段落【０００５】）  
（テ）「本発明は，係る実情に鑑み考え出されたものであり，その目的は，前述した遊技制御手段の不正改造を極力防止するとともに，入賞玉の処理動作速度を速めることのできる弾球遊技機を提供することである。」（段落【０００６】） 
（ト）「請求項１に記載の本発明は，打玉を遊技領域に打込んで遊技が行なわれる弾球遊技機であって，弾球遊技機の遊技状態を制御する遊技制御手段と，前記遊技領域に設けられ，打玉が入賞可能な入賞領域と，該入賞領域に入賞した入賞玉に基づいて景品玉の払出動作を行なうために該入賞玉を処理する入賞玉処理装置と，玉を払出す玉払出装置と，該玉払出装置と前記入賞玉処理装置とを制御する払出動作制御手段とを含み，前記入賞玉処理装置は，前記入賞玉を保持する入賞玉保持手段と，該入賞玉保持手段により保持されている入賞玉を検出してその検出出力を前記遊技制御手段に出力する入賞玉検出手段と，前記入賞玉保持手段により保持されている入賞玉を排出する入賞玉排出手段とを含み，前記遊技制御手段は，前記入賞玉検出手段からの検出出力が入力されることを条件として，該入賞玉に対応して払出すべき景品玉の個数を特定する払出個数情報を前記払出動作制御手段に出力し，前記払出動作制御手段は，前記払出個数情報が入力されたことを条件として，その入力された払出個数情報に従った個数の景品玉を前記玉払出装置から払出す制御を行なうとともに，該払出制御に伴う景品玉の払出の終了を待たずに前記入賞玉排出手段による入賞玉の排出動作を開始する制御を行ない，前記遊技制御手段と前記払出動作制御手段との間での情報通信は，前記遊技制御手段から，前記払出動作制御手段への一方向通信としたことを特徴とする。」（段落【０００７】）  
（ナ）「カードユニット制御基板２１０ａには，ＲＡＭ，ＲＯＭ，ＣＰＵ，Ｉ／Ｏポート等を含むカードユニット制御用マイクロコンピュータ２１０と，スイッチからの検出信号をカードユニット制御用マイクロコンピュータ２１０に入力するためのスイッチ回路２１１と，カードユニット制御用マイクロコンピュータ２１０からの表示制御信号を各種表示器に出力するための表示回路２１２と，カードユニット制御用マイクロコンピュータ２１０と払出制御回路基板１５２の払出制御用マイクロコンピュータ２２０との間で信号のやり取りを行なうためのフォトカプラで構成される信号回路２１４と，電源回路２１５とが設けられている。このように両マイクロコンピュータ２１０，２２０間での信号のやり取りをフォトカプラを介して一旦光信号に変換して行なっているために，両マイクロコンピュータ２１０，２２０間が電気的に遮断された状態となり，一方の故障等に起因した異常高電圧等が他方のマイクロコンピュータにまで伝送されないために，一方の故障が他方にまで悪影響を及ぼすことを防止できる。さらに，このカードユニット制御基板２１０ａには，前記スイッチ回路２１１に接続された端数表示スイッチ５２と玉貸額設定スイッチ２１３とが設けられ，さらに，前記表示回路２１２に接続された，ユニット使用可表示器５１とカード挿入表示器５４と連結方向表示器５３とが設けられている。また，図２の５７は，インターフェイス基板１３８のコネクタ１３８ａと接続されるコネクタである。」 （段落【００５５】）  
（ニ）「払出制御回路基板１５２には，フォトカプラで構成される信号回路２１６が設けられており，カードユニット制御用マイクロコンピュータ２１０と払出制御用マイクロコンピュータ２２０との間で，前記信号回路２１４，２１６を介して，ユニット接続信号（ＶＬ），ユニット動作信号（Ｂ ＲＤＹ），玉貸要求信号（ＢＲＱ），玉貸完了信号（ＥＸＳ），Ｐ機動作信号（Ｐ ＲＤＹ）の各信号が送受信される。すなわち，カードユニット制御用マイクロコンピュータ２１０と払出制御用マイクロコンピュータ２２０とが接続されている場合には，カードユニット制御用マイクロコンピュータ２１０から払出制御用マイクロコンピュータ２２０に対しユニット接続信号（ＶＬ）が伝送される。このユニット接続信号（ＶＬ）の入力があることを条件として，パチンコ遊技機が打球発射可能な状態となるとともに，入賞玉に基づいた景品玉の払出制御が可能な状態となる。」（段落【００５７】）
（ヌ）「遊技制御基板１９９には，ワンチップ化された遊技制御用マイクロコンピュータ２０２が設けられている。この遊技制御用マイクロコンピュータ２０２には，ＣＰＵ２０３，ＲＡＭ２０５，Ｉ／Ｏポート２０６，セキュリティ回路２０４等が設けられている。そして，ワンチップ化された遊技制御用マイクロコンピュータ２０２の外部にＲＯＭ２０７と，アドレスデコード回路２０８とが設けられている。アドレスデコード回路２０８は，遊技制御用マイクロコンピュータ２０２からのアドレスデータをデコードし，遊技制御用マイクロコンピュータ２０２内のＲＡＭ２０５，Ｉ／Ｏポート２０６，あるいは前記ＲＯＭ２０７にそれぞれチップセレクト信号を与える。」（段落【００６０】）  
（ネ）「前記ＲＯＭ２０７には，打玉がどの入賞領域に入賞したかに応じて払出すべき景品玉の数である賞球個数データが記憶されている。そして，入賞玉検出器１２２（図７参照）が入賞玉を検出してその検出信号がスイッチ回路２２９を介して遊技制御用マイクロコンピュータ２０２に入力されてくれば，遊技制御用マイクロコンピュータ２０２は，打玉が入賞した入賞領域に対応する賞球個数データをＲＯＭ２０７から読出して，信号回路２０９，２１７（ともにフォトカプラで構成されている）を介して払出制御用マイクロコンピュータ２２０に返信する。本実施例では，賞球個数信号は，図示するように４本の信号線からなる４ビットデータ（Ｄ０〜Ｄ３）の形で払出制御用マイクロコンピュータ２２０に伝送される。」（段落【００６２】）  
（ノ）「払出制御回路基板（賞球玉貸制御基板）１５２には，コネクタ１５３ａを介して，入賞玉排出ソレノイド１２７，玉払出検出器（賞球センサ）１８７，玉切れスイッチ８７ａ，８７ｂがさらに接続されている。そして，払出モータ（賞球モータ）１８９の回転に伴って玉払出検出器（賞球センサ）１８７が切欠部１９２を検出すれば，その検出信号が払出制御回路基板（賞球玉貸制御基板）１５２に入力される。また，玉切れスイッチ８７ａ，８７ｂの検出信号がコネクタ１５３ａを介して払出制御回路基板（賞球玉貸制御基板）１５２に入力される。払出制御回路基板（賞球玉貸制御基板）１５２は，コネクタ１５３ａを介して入賞玉排出ソレノイド１２７を励磁制御し，入賞玉を下方に通過させて落下させる制御を行なう。」（段落【００７０】）  
（ハ）「払出制御回路基板（賞球玉貸制御基板）１５２は，前記玉払出検出器（賞球センサ）１８７からの検出信号に基づいて，コネクタ１５３ｂ，１９９ｂを介して遊技制御基板１９９に入賞信号を出力し，遊技制御基板１９９は，その入賞信号に基づいて前述した賞球個数信号をコネクタ１９９ｂ，１５３ｂを介して払出制御回路基板（賞球玉貸制御基板）１５２に返信する。」（段落【００７１】）  
（ヒ）「【課題を解決するための手段の具体例】前記遊技制御基板１９９により，前記遊技機の遊技状態を制御する遊技制御手段が構成されている。前記始動入賞口３４，可変入賞球装置３５，通常の入賞口４２ａ，４２ｂにより，前記遊技領域に設けられ，打玉が入賞可能な入賞領域が構成されている。入賞玉処理装置１１５により，前記入賞領域に入賞した入賞玉に基づいて景品玉の払出動作を行なうために該入賞玉を処理する入賞玉処理装置が構成されている。玉払出装置９７により，玉を払出す玉払出装置が構成されている。払出制御回路基板１５２により，前記玉払出装置と前記入賞玉処理装置とを制御する払出動作制御手段が構成されている。」（段落【０１３２】）
（フ）「前記入賞玉処理装置は，入賞玉を保持する入賞玉保持手段（第２玉係止部１３０）と，該入賞玉保持手段により保持されている入賞玉を検出してその検出出力を前記遊技制御手段に出力する入賞玉検出手段（入賞玉検出器１２２）と，前記入賞玉保持手段により保持されている入賞玉を排出する入賞玉排出手段（ソレノイド１２７，第１玉係止部１２４）とを含んでいる。そして，前記遊技制御手段は，前記入賞玉検出手段からの検出出力が入力されたことを条件として，該入賞玉に対応して払出すべき景品玉の個数を特定する払出個数情報を前記払出動作制御手段に出力する。また払出動作制御手段は，前記払出個数情報が入力されたことを条件として，その入力された払出個数情報に従った個数の景品玉を前記玉払出装置から払出す制御を行なうとともに，該払出制御に伴う景品玉の払出の終了を待たずに前記入賞玉排出手段による入賞玉の排出動作を開始する制御を行なう。また，前述したように，入賞玉の排出時期は景品玉払出開始と同時でなくてもよい。そして，前記遊技制御手段と前記払出動作制御手段との間での情報通信は，前記遊技制御手段から，前記払出動作制御手段への一方向通信となっている。」（段落【０１３３】）  
（ヘ）「【課題を解決するための手段の具体例の効果】請求項１に関しては，入賞玉が発生した場合には，その入賞玉に対応して払出すべき景品玉の個数を特定する払出個数情報が遊技制御手段から払出動作制御手段に出力され，その払出動作制御手段がその入力された払出個数情報に従った個数の景品玉を払出す制御を行なうために，入賞玉に基づいた払出動作を行なうに際し，前記払出動作制御手段から前記遊技制御手段への情報の送信を何ら行なうことなく払出動作が可能となり，払出動作制御手段から遊技制御手段へ入力される情報の入力部を利用した不正なデータの入力による不正改造等を極力防止し得ることができる。しかも，景品玉の払出動作の終了を待たずに入賞玉の排出動作が開始されるために，入賞玉の処理を迅速に行なうことができる。」（段落【０１３６】）  
　また，引用文献２の【図１２】より「遊技制御基板１９９」内及び「払出制御回路基板１５２」内各々に，「信号回路２０９」及び「信号回路２１７」が設けられていることが分かる。　
　
　これらの記載及び図面からみて，引用文献２には，以下の技術事項が記載されていると認めることができる。  
・「弾球遊技機において，遊技制御基板１９９と払出制御回路基板１５２との間での情報通信は，遊技制御基板１９９から，払出制御回路基板１５２への一方向通信とした」  
・「遊技制御基板１９９には遊技制御用マイクロコンピュータ２０２が設けられ，入賞玉検出器１２２が入賞玉を検出してその検出信号が遊技制御用マイクロコンピュータ２０２に入力されると，遊技制御用マイクロコンピュータ２０２は，打玉が入賞した入賞領域に対応する賞球個数データをＲＯＭ２０７から読み出し，この賞球個数信号を，遊技制御基板１９９内に設けられるフォトカプラ構成の信号回路２０９，及び，払出制御回路基板１５２内に設けられるフォトカプラ構成の信号回路２１７を介して払出制御用マイクロコンピュータ２２０に伝送する」 
　
（２−３）特開平５−２７７２４７号公報（以下，「引用文献３」という。）には，図面とともに以下の記載がある。  
（ホ）「なお，本実施例では，ゲーム制御用マイクロコンピュータと払出制御用マイクロコンピュータとを共通の１枚の基板に実装するようにしたが，共通の収容体に収容されるものであれば，別々の基板に実装して収容するようにしてもよい。」（段落【００５０】）
（マ）「遊技制御・払出制御回路には払出制御用マイクロコンピュータ３５０およびゲーム制御用マイクロコンピュータ３７０が設けられている。この払出制御用マイクロコンピュータ３５０は，図７のカード処理器制御用マイクロコンピュータ３００と同様に，ＣＰＵ３５１，ＲＯＭ３５２，ＲＡＭ３５３，パワーオンリセット回路３５５，クロック発生回路３５６，定期リセット回路３５７，アドレスデコード回路３５８，Ｉ／Ｏポート３５４を含んでおり，ここでは説明の繰返しを省略する。なお，この払出制御用マイクロコンピュータ３５０は，前述した各種回路がワンチップ化されたワンチップマイクロコンピュータで構成されている。」（段落【００６９】） 
（ミ）「同様にゲーム制御用マイクロコンピュータ３７０も，ＣＰＵ３７１，ＲＯＭ３７２，ＲＡＭ３７３，初期リセット回路３７５，クロック発生回路３７６，定期リセット回路３７７，アドレスデコード回路３７８，Ｉ／Ｏポート３７４，サウンドジェネレータ３７９を含んでおり，ここでは説明の繰返しを省略する。なお，サウンドジェネレータ３７９は，ＣＰＵ３７１の制御に従って，大当り時などに，音回路３８６を介してスピーカ１２９を駆動して大当り音などの効果音を発生する。」（段落【００７０】） 
（ム）「図１０は，払出制御用マイクロコンピュータ３５０のＩ／Ｏポート３５４とゲーム制御用マイクロコンピュータ３７０のＩ／Ｏポート３７４との間で，景品玉の払出個数データの送受信を行なうための回路を示す図である。」（段落【００８１】） 
（メ）「パチンコ遊技機６０とカード処理機６２とがコネクタ１３９（図２参照）を介して接続された段階でフォトカプラ８５２にＶＬ（＋１８Ｖ）の電圧が与えられ，ゲーム制御・払出制御基板１４８に設けられているカード接続情報入力回路３６７を介してゲーム制御用マイクロコンピュータ３７０に信号が入力される。このカード接続情報入力回路３６７を介して払出制御用マイクロコンピュータ３７０に信号が入力されて初めてパチンコ遊技機６０が作動可能となる。ゲーム制御・払出制御基板１４８のゲーム制御用マイクロコンピュータ３７０には，パチンコ玉の入賞態様に応じて払出すべき景品玉の個数，すなわち，ｎ（７個），ｍ（１０個），ｋ（１５個）が記憶されている。ゲーム制御・払出制御基板１４８のＩ／Ｏポート３７４は，Ｄ０，Ｄ１，Ｄ２，Ｄ３，Ｄ４の５つの出力ポートを有しており，Ｄ０〜Ｄ３の４つの出力ポートにより４ビットの賞球個数信号（景品玉払出個数信号）を出力することができるように構成されている。Ｉ／Ｏポート３７４が４ビットからなる賞球個数信号の出力ポートを有するために，１個〜１５個の１５種類の賞球個数信号を出力することができる。Ｉ／Ｏポート３７４の出力ポートＤ４は，後述するセンサ種別信号を出力するためのものであり，入賞玉センサＡ（１７０ａ）の検出信号に基づく景品玉の払出か入賞玉センサＢ（１７０ｂ）の検出信号に基づく景品玉の払出かを識別するための信号がこの出力ポートＤ４から出力される。」（段落【００８２】） 
（モ）「払出制御用マイクロコンピュータ３５０のＩ／Ｏポート３５４には，５つの入力ポートが設けられており，それぞれの入力ポートに，前述したゲーム制御用マイクロコンピュータ３７０のＩ／Ｏポート３７４のそれぞれのポートＤ０〜Ｄ４からの信号が入力されるように構成されている。」（段落【００８３】） 
（ヤ）「Ｉ／Ｏポート３７４から出力された賞球個数信号はＩ／Ｏポート３５４に入力され，払出制御用マイクロコンピュータ３５０に入力される。そして払出制御用マイクロコンピュータ３５０では，入力された賞球個数に相当する個数だけの景品玉を払出制御する。」（段落【００８５】） 
　
　上記記載事項（ホ）に記載された「ゲーム制御用マイクロコンピュータと払出制御用マイクロコンピュータとを・・別々の基板に実装」することを採用すると，上記各記載及び図面からみて，引用文献３には，以下の技術事項が記載されていると認めることができる。
・「ゲーム制御用マイクロコンピュータ３７０を実装した基板に，ゲーム制御用マイクロコンピュータ３７０からの信号を出力する出力ポートＤ０〜Ｄ４（Ｉ／Ｏポート３７４）を設け，払出制御用コンピュータ３５０に実装した他の基板に，出力ポートＤ０〜Ｄ４からの信号を受け払出制御用コンピュータ３５０に向かって伝達する５つの入力ポート（Ｉ／Ｏポート３５４）を設ける」 
　
（２−４）「株式会社日立製作所発行のデータブック「日立Ｂｉ−ＣＭＯＳ／ＣＭＯＳロジック　ＨＤ７４ＢＣ／ＡＣ／ＨＣ／ＵＨシリーズ」平成８年９月，株式会社日立製作所発行」（以下，「引用文献４」という。）には，本件基準明細書において例示されている日立製の型番「７４ＨＣ２４４」に関して，その特長，機能等とともに，「８ヶのバッファで構成され」，「ドライバは４ヶづつ組になっており，各組は“Ｌ”レベルのときに出力がイネーブルになる」（第４７２〜４７３頁参照）との記載がある。 
　
（３）引用発明と訂正発明１との一致点及び相違点の認定
　訂正発明１は，「各制御基板」の一つとして「表示制御基板」を含むものであり，「制御手段」の一つとして「表示制御手段」を含むものであるから，引用発明と訂正発明１は，「表示制御基板」及び「表示制御手段」を具備する点で共通している。
　
引用発明と訂正発明１とを対比すると，引用発明の「図柄」は訂正発明１の「識別情報」に相当し，以下同様に，「メインＣＰＵ２」は「遊技制御手段」に，「サブＣＰＵ８」は「表示制御手段」に，「パチンコ機」は「遊技機」に，それぞれ相当する。  
　そして，引用発明について次のことがいえる。
ａ．引用発明における「特別図柄表示部１７」では，３つに区分される「左，中，右特別図柄表示部１７ａ，１７ｂ，１７ｃ」に「図柄」を「表示駆動」させて「変動」が生じるのであるから，該「特別図柄表示部１７」は，訂正発明１における「表示状態が変化可能な可変表示部」に相当する。  
ｂ．引用発明における「遊技球が始動口１９に入賞する」ことは，「図柄変動が開始される」ための条件といえるため，引用発明の「遊技球が始動口１９に入賞すると，図柄表示装置７の特別図柄表示部１７の図柄変動が開始され」は，訂正発明１における「変動開始の条件の成立に応じて前記可変表示部に表示される識別情報の変動を開始し」に相当するといえる。  
ｃ．引用発明は「大当たり判定用乱数の値が大当たりに関するものであるか」を「判別することにより」「記憶しておいた大当たり特別図柄データ」を選択して「各特別図柄表示部１７ａ，１７ｃ，１７ｂの図柄の停止表示を行う」ものであり，ここで，「記憶しておいた大当たり特別図柄データ」による「図柄の停止表示を行う」ことは，訂正発明１における「識別情報の表示結果が予め定められた特定の表示態様とな」ることに実質的に相当する。また，引用発明では，「大当たりが発生すると，遊技者に特に有利となる特別遊技状態が付与され」るのであって，ここで「特別遊技状態が付与され」れば，所定の遊技価値が付与可能となることは，パチンコ機の分野において技術常識であるので，引用発明は，訂正発明１における「識別情報の表示結果があらかじめ定められた特定の表示態様となった場合に所定の遊技価値が付与可能となる」構成を備えることは明らかである。  
ｄ．引用発明の「メイン制御部１」を基板上に形成すること，及び，「メインＣＰＵ２」を該「メイン制御部１」に搭載することは，パチンコ機の分野における技術常識に属し，また，「メインＣＰＵ２」が「パチンコ遊技全体に関わる制御を行う」ための「制御処理実行手段」であるから，引用発明は，訂正発明１における「遊技進行を制御する遊技制御手段が搭載された遊技制御基板」に相当する構成を備えているといえる。
ｅ．引用発明の「サブ制御部６」を基板上に形成すること，及び，「サブＣＰＵ８」を該「サブ制御部６」に搭載することは，パチンコ機の分野における技術常識に属し，また，引用発明における「サブ制御部６」は，「メイン制御部１からの制御信号並びにコマンドデータに応じて」つまり「メイン制御部１」からの信号にもとづいて，「図柄表示装置７の各表示駆動手段を表示駆動制御する」ものであり，ここで「図柄表示装置７の各表示制御手段を表示駆動制御」することで「特別図柄表示部１７」の表示制御が行われることは自明である。よって，引用発明は，訂正発明１における「前記遊技制御基板からの信号にもとづいて前記可変表示部の表示制御を行う表示制御手段が搭載された表示制御基板」に相当する構成を備えるといえる。  
ｆ．引用発明における「一方向データ転送手段４０」は，引用文献１の上記（ク）の記載あるいは図１の記載より「メイン制御部１」及び「サブ制御部６」の間に設けられ，この「一方向データ転送手段４０」により，「メインＣＰＵ２からサブＣＰＵ８へのみ制御信号並びにコマンドデータが転送され，サブＣＰＵ８からメインＣＰＵ２へのデータ信号の入力が禁止されるよう構成されて」いるのだから，上記「一方向データ転送手段４０」は，「メイン制御部１」と「サブ制御部６」の間の信号について，信号の伝達方向を「メイン制御部１」から「サブ制御部６」への一方向に規制するための信号伝達方向規制手段であることは明らかである。  
　
　ここで，一方向に規制される信号が，「メイン制御部１」と「サブ制御部６」の間の信号の全てであるか否かについて検討する。  
　引用文献１記載の発明の課題及びその解決手段によれば，一方向データ転送の対象となるのは，メイン制御部から図柄表示装置のサブ制御部へ転送される制御用のコマンドデータ（パチンコ機における遊技状況を示すステータスデータ，図柄表示装置に複数設定されている各図柄表示部に表示する図柄の種類及び表示位置を示す各データ等）であり（段落【０００２】，【０００３】），引用文献１には上記コマンドデータ以外のデータ転送について，明示的な記載はされていない。しかし，引用文献１には，「サブ制御部からメイン制御部へのデータ信号入力が禁止されるため，何等かの手段により，図柄表示装置を介してサブ制御部からメイン制御部へ不正信号の出力がなされたとしても，サブ制御部からのメイン制御部への不正信号の入力を防止することができ，したがって，入賞が成立していないにもかかわらず，入賞状態となるといったことが防止することができる。」との効果を奏することが記載されている（段落【００１１】，【０１２８】）。上記の効果は，サブ制御部からメイン制御部へのすべてのデータ信号入力を禁止することによりもたらされる効果であるから，引用文献１記載の発明においては，メイン制御部とサブ制御部の間のすべての信号経路に，メイン制御部への不正信号入力防止手段として，一方向データ転送手段が介在することを前提にしているものと解される。したがって，引用文献１には，一方向データ転送手段により，両制御部間のすべての信号について，サブ制御部からメイン制御部へのデータ信号入力を禁止する構成が開示されているものと認められる。  
　よって，訂正発明１の「複数の制御基板」には「表示制御基板」が含まれているから，訂正発明１と引用発明とは少なくとも「遊技制御基板と表示制御基板との間の全ての信号について，信号の伝達方向を前記遊技制御基板から前記表示制御基板への一方向に規制するための信号伝達方向規制手段を設けた」点で共通する。  
　
　以上を総合すると，両者は，  
「表示状態が変化可能な可変表示部を含み，変動開始の条件の成立に応じて前記可変表示部に表示される識別情報の変動を開始し，識別情報の表示結果があらかじめ定められた特定の表示態様となった場合に所定の遊技価値が付与可能となる遊技機であって，  
　遊技進行を制御する遊技制御手段が搭載された遊技制御基板と，前記遊技制御基板からの信号にもとづいて前記可変表示部の表示制御を行う表示制御手段が搭載された表示制御基板とを有し，  
　遊技制御基板と表示制御基板との間の全ての信号について，信号の伝達方向を前記遊技制御基板から前記表示制御基板への一方向に規制するための信号伝達方向規制手段を設けた遊技機。」である点で一致し，以下の点で相違する。  
　
＜相違点１＞ 
　訂正発明１では，遊技制御基板には，制御手段が搭載され前記遊技制御基板からの信号が入力される，表示制御基板を含む複数の制御基板が接続されているのに対し，引用発明では，そのような構成か不明である点。 
＜相違点２＞  
　訂正発明１では，「表示制御基板内」及び「遊技制御基板内」各々に「信号伝達方向規制手段」が「実装」され，「表示制御基板内」の「信号伝達方向規制手段」が「前記遊技制御基板からの信号の入力のみを可能とし，前記遊技制御基板への信号の出力を不能」とし，「遊技制御基板内」の「信号伝達方向規制手段」が「前記表示制御基板への信号の出力のみを可能とし，前記表示制御基板からの信号の入力を不能と」するのに対し，引用発明は，「信号伝達方向規制手段」が「メイン制御部１」及び「サブ制御部６」の間に設けられている点。 
＜相違点３＞ 
　全ての信号を一方向に規制する構成が，訂正発明１では，「遊技制御基板」から全ての「各制御基板」への信号を対象としているのに対し，引用発明では「遊技制御基板」から「表示制御基板」への信号を対象としている点。
＜相違点４＞ 
　訂正発明１では，複数の制御基板全ての各制御基板内に，信号伝達方向規制手段と制御手段との間に信号伝達方向規制手段から制御手段に向かって信号を伝達する入力ポートを設け，遊技制御基板内に，遊技制御手段と信号伝達方向規制手段との間に遊技制御手段から当該信号伝達方向規制手段に向かって信号を伝達する出力ポートを設けているのに対し，引用発明ではそのような構成でない点。 
 　 
４．訂正発明１と引用発明の相違点の判断  
　上記各相違点について検討する。 
＜相違点１＞について 
　引用文献１には，「【従来の技術】・・このようなパチンコ遊技機にあっては，・・メイン制御部のみでは・・各駆動制御要素を全て制御することが・・困難であるため，駆動制御要素毎に専用のサブ制御部が配備されており，メイン制御部から制御信号並びに出力データからなる制御用のコマンドデータをサブ制御部に転送し，前記制御用のコマンドデータに応じてサブ制御部により駆動制御要素を制御駆動するようにしている。」（上記記載事項（イ）），「メイン制御部から転送される制御用のコマンドデータは，例えば，サブ制御部が図柄表示装置である場合には，」（上記記載事項（ウ））と記載されている。
　また，遊技機において，遊技制御基板に，制御手段が搭載され遊技制御基板からの信号が入力される，表示制御基板を含む複数の制御基板を接続することは，従来より，例を挙げるまでもなく周知技術と認められる。
　そうすると，上記記載事項及び周知技術を斟酌すると，引用発明は，一方向データ転送の対象とする図柄表示装置７側に配備されるサブ制御部６の他に，他の駆動制御要素を制御駆動するサブ制御部を具備することは自明なことである。したがって，相違点１は実質的な相違点ではない。 
　仮に，上記のように認めることができないとしても，引用発明において上記周知技術を採用し，相違点１に係る訂正発明１の構成とすることは当業者にとって想到容易である。
　
 ＜相違点２＞について 
　引用文献２の段落【０００７】，【０１３３】，【０１３６】によれば，引用文献２記載の技術事項は，遊技制御手段と払出動作制御手段との間での情報通信は，遊技制御手段から，払出動作制御手段への一方向通信とした構成を採用することにより，入賞玉に基づいた払出動作を行うに際し，上記払出動作制御手段から上記遊技制御手段への情報の送信を何ら行うことなく払出動作が可能となり，払出動作制御手段から遊技制御手段へ入力される情報の入力部を利用した不正なデータの入力による不正改造等を極力防止し得ることができる上，景品玉の払出動作の終了を待たずに入賞玉の排出動作が開始されるため，入賞玉の処理を迅速に行うことができるとの効果を奏するものといえる。  
　また，引用文献２の段落【００６２】及び図１２によれば，フォトカプラで構成されている信号回路２０９は遊技制御基板に，同じくフォトカプラで構成されている信号回路２１７は払出制御基板１５２にそれぞれ設けられていることが認められる。そして，信号の一方向伝達特性を維持するというフォトカプラの特性，画像表示等を制御するサブ基板はメイン基板への信号送信ができないとの規制の存在，賞球個数信号Ｄ０〜Ｄ３は遊技制御基板１９９から払出動作制御基板１５２への一方向通信を予定した信号であると解するのが合理的であること，及び，引用文献２記載の発明が遊技制御手段から払出動作制御手段への一方向通信とした構成を採用することによって不正なデータの入力を防止することを目的としていること，等に照らすと，引用文献２の記載に接した当業者は引用文献２のフォトカプラで構成された信号回路２０９，２１７について，メイン基板である遊技機制御基板からのコマンドをサブ基板へ一方的に転送することのみを許可し，双方向通信を禁止する回路を技術常識として認識するものと解される。
　そうすると，信号回路２１７は，訂正発明１の制御基板内に実装された「信号の伝達方向を遊技制御基板から制御基板への一方向に規制するために，前記遊技制御基板からの信号の入力のみを可能とし，遊技制御基板への信号の出力を不能とする信号伝達方向規制手段」に相当し，信号回路２０９は，訂正発明１の遊技制御基板内に実装された「信号の伝達方向を遊技制御基板から制御基板への一方向に規制するために，制御基板への信号の出力のみを可能とし，制御基板からの信号の入力を不能とする信号伝達方向規制手段」に相当する。  
　引用文献２に記載された技術事項は，引用発明と同様に遊技機に関する技術分野において，不正信号の入力を防止するという目的を達成するためのものであり，引用発明においては１つであった一方向データ転送手段を，引用文献２のように入力側基板と出力側基板のそれぞれに設けることにより，より高い効果が期待できることは当然のことであるから，引用文献２記載の技術事項を引用発明に適用し，相違点２に係る訂正発明１の構成とすることは，当業者において想到容易である。  
 　 
＜相違点３＞について 
　引用文献１には，「このようなパチンコ遊技機にあっては，パチンコ機のパチンコ遊技全体に関わる制御を行うためのメイン制御部のみでは，パチンコ機に配備された各駆動制御要素を全て制御することがメイン制御部の処理タイミングやメモリの記憶容量に制限があって困難であるため，駆動制御要素毎に専用のサブ制御部が配備されており，メイン制御部から制御信号並びに出力データからなる制御用のコマンドデータをサブ制御部に転送し，前記制御用のコマンドデータに応じてサブ制御部により駆動制御要素を制御駆動するようにしている。」（段落【０００２】）及び「メイン制御部から転送される制御用のコマンドデータは，例えば，サブ制御部が図柄表示装置である場合には，パチンコ機における遊技状況を示すステータスデータ及び図柄表示装置に複数設定されている各図柄表示部に表示する図柄の種類並びに表示位置を示す各データ等である。」（段落【０００３】）を【従来技術】とした上で，【発明が解決しようとする課題】を「本発明の目的は，・・・データ転送においてノイズの侵入を排除することが可能なパチンコ機におけるデータ伝送装置を提供することにある。」（段落【０００８】）とし，【作用】を「一方向データ転送手段により，サブ制御部からメイン制御部へのデータ信号入力が禁止されるため，図柄表示装置を介するサブ制御部からメイン制御部への不正信号の入力が防止され，入賞が成立していないにもかかわらず，入賞状態となるといったことが防止される。」（段落【００１１】）と記載されている。
　これによれば，引用文献１には，駆動制御要素毎に配備された専用のサブ制御部からメイン制御部へ不正信号が入力されて，不正に入賞状態となることを防止するとの技術事項が記載されていると認められるが，メイン制御部への不正信号の入力が不正の原因となる以上，その不正対策はサブ制御部としての「図柄表示装置」からの不正信号への対策に限る理由はないこと，全ての各サブ制御部からメイン制御部への不正信号に対して対策を講ずればより安全であることは，当業者にとって自明である。 
　そうすると，引用発明において，「遊技制御基板」から「表示制御基板」への全ての信号を一方向に規制する構成を，「遊技制御基板」から全ての「各制御基板」への信号において採用し，相違点３に係る訂正発明１の構成とすることは，当業者であれば想到容易である。
　
＜相違点４＞について 
　従来より，特開平９−２９９５４８号公報，特開平１０−１２７８７９号公報に例示されるように，遊技機において，信号の出力又は入力を行うＩ／Ｏポートを制御部に設けることは，よく行われていることである。
　また，引用文献３には，ゲーム制御用マイクロコンピュータ３７０（訂正発明１の「遊技制御手段」に相当）を実装した基板（「遊技制御基板」に相当）内に，払出制御用コンピュータ３５０（「制御手段」に相当）に向かって信号を伝達する出力ポートＤ０〜Ｄ４（「出力ポート」に相当）を設け，払出制御用コンピュータ３５０を実装した他の基板（「制御基板」に相当）内に，ゲーム制御用マイクロコンピュータ３７０からの信号を受けて払出制御用コンピュータ３５０に向かって伝達する５つの入力ポート（「入力ポート」に相当）を設けることが記載されている。そして，引用文献３に記載された技術事項も，引用発明と同様にメイン制御部からサブ制御部へ信号を伝達するものであるから，これを引用発明に適用することに技術的困難性はない。 
　そうすると，引用発明において上記引用文献３に記載された技術事項を適用し，各制御基板内に入力ポートを設け，遊技制御基板内に出力ポートを設け，相違点４に係る訂正発明１の構成とすることは，当業者であれば想到容易である。なお，その適用に際し，出（入）力ポートと信号伝達方向規制手段との位置関係をどのようにするかは，その位置関係によって効果に差異が生じるものとは認められないから，設計的事項に過ぎない。
　なお，請求人は，「主たる規制手段である信号伝達方向規制手段と補助的な規制手段である出力ポートとを組み合わせた相乗的な作用によって，信号伝達方向規制の強化を図り,遊技機に対する不正行為を防止できる効果をより強めています。」（平成２３年６月３０日意見書８頁下から７〜４行）等の主張をしているが，出（入）力ポートが補助的な規制手段であって信号伝達方向規制手段との組合せによって「相乗的」な作用を奏するということは本件基準明細書には記載されておらず，その構成からみても，それぞれが個別の作用を奏するとしても，「相乗的」な作用を奏するとは認めることはできない。 
　
　以上によれば，訂正発明１は，引用発明に引用文献２，３記載の技術事項及び周知技術を適用することにより，当業者が容易に想到することができるものである。  
　 
５．訂正発明２，３についての容易性の判断  
　訂正発明２は，訂正発明１を引用して記載された発明であり，訂正発明３は，訂正発明２を引用して記載された発明であって，前記４のとおり，訂正発明１は当業者が容易に想到し得るものである。  
　そして，訂正発明２は，信号伝達方向規制手段として，汎用のバッファＩＣ回路が用いられているのに対し，引用発明ではトランジスタアレイが用いられている。しかし，汎用のバッファＩＣ回路として本件基準明細書において例示されている「７４ＨＣ２４４」（段落【００３５】）は，引用文献４に示されており，これが信号伝達方向規制手段として機能し得ることは，当業者にとって自明のことである。したがって，信号伝達方向規制手段として，汎用のバッファＩＣ回路を採用することは，当業者が容易になし得る。そうすると，訂正発明２は，引用発明に引用文献２〜４記載の技術事項及び周知技術を適用することにより，当業者が容易に想到することができるものである。  
　また，訂正発明３は，バッファＩＣ回路のイネーブル端子が常に入出力導通状態に設定されているが，引用文献４によれば，汎用のバッファＩＣ回路として本件基準明細書において例示されている「７４ＨＣ２４４」のイネーブル端子を常に「Ｌ」レベルにしておけば，入出力導通状態となるのであり，そのような設定をすることは設計事項といえる。そうすると，訂正発明３は，引用発明に引用文献２〜４記載の技術事項及び周知技術を適用することにより，当業者が容易に想到することができるものである。 
  
６．むすび  
　以上のとおりであるから，訂正後における特許請求の範囲請求項１〜３に記載されている事項により特定される発明が特許出願の際独立して特許を受けることができるものでなく，本件訂正は，特許法１２６条５項の規定に適合しないので，本件訂正は認められない。
　よって，結論のとおり審決する。